(57)【要約】      （修正有）【課題】センサーを使用して投薬計画に対する遵守を監視及び／又は管理するためのシステム及び方法を提供する。【解決手段】薬剤容器から薬剤を吐出させることは、一般に、薬剤容器に圧力が加えられることを伴い、その結果、薬剤容器は拡張する。投薬装置１００は薬剤容器を開口１１０内に包囲する。プロセッサは、薬剤容器に物理的に結合され、ユーザーが圧力を加えることに応答して薬剤容器が拡張したことを示すように配置された圧力センサーからのデータを監視する。プロセッサは、薬剤が薬剤容器から吐出されているかどうかを決定するために圧力センサーデータを分析する。コンピュータシステムは、投薬計画に対する遵守の状態を決定するために、吐出された薬剤と投薬計画とを比較することができる。【選択図】図１
2019213886.tif 000002
【特許請求の範囲】
【請求項１】
薬剤の容器を保持するように構成されたジャケットであって、ユーザーが薬剤を吐出させるために前記容器に圧力を加えることを許容する開口部、及び第１の圧力センサーの作動が前記ユーザーが前記開口部を介して前記容器に圧力を加えることに反応して前記容器が拡張したことを示すように配置された前記第１の圧力センサーを含むジャケットを備える投薬装置であって、
前記第１の圧力センサーによって生成され、携帯機器によって受信された第１のデータ出力をコンピュータシステムに分析させ、前記コンピュータシステムは、前記第１のデータ出力に基づいて、薬剤が前記容器から吐出されたかどうかを決定する、投薬装置。
【請求項２】
第２の圧力センサーの作動が前記容器が前記ジャケットに挿入されたことを示すように配置された前記第２の圧力センサーをさらに備える請求項１に記載の投薬装置。
【請求項３】
前記投薬装置が携帯機器に物理的に接続されることを可能にするように構成された取り付け部品をさらに備える請求項１に記載の投薬装置。
【請求項４】
前記第１の圧力センサーによって記録されたデータを通信装置と交換するように構成された無線通信モジュールをさらに備える請求項１に記載の投薬装置。
【請求項５】
前記ユーザーからの音声を録音し、前記録音を、前記無線通信モジュールを介して送信するように構成された入力装置をさらに備える請求項４に記載の投薬装置。
【請求項６】
前記ジャケット及び前記容器の動きを検出する１以上の運動センサーを作動させ、及び停止させるように構成された１以上の触覚センサーをさらに備える請求項１に記載の投薬装置。
【請求項７】
パルス、心拍数、酸素飽和度、グルコース濃度、又はそれらの組み合わせを測定する１以上のセンサーをさらに備え、
前記投薬装置によって吐出される薬剤の用量は、前記１以上のセンサーによって測定されたユーザーのパルス、心拍数、酸素飽和度、グルコース濃度、又はそれらの組み合わせに基づいて変更される、請求項１に記載の投薬装置。
【請求項８】
前記容器から出ていく薬剤を感知し、前記容器から吐出された薬剤に関するデータを記録するように構成された薬剤検出センサーをさらに備える請求項１に記載の投薬装置。
【請求項９】
前記ジャケットは、様々な大きさの容器を保持するために異なる大きさの開口を有する複数のジャケットのうちの１つである請求項１に記載の投薬装置。
【請求項１０】
前記投薬装置は、前記複数のジャケットの何れにも取り付けられ得る取外し可能な電子コンパートメントを含む請求項９に記載の投薬装置。
【請求項１１】
前記通信装置は、視覚情報、聴覚情報、又はそれらの組み合わせをユーザーに伝達するように構成され、視覚及び聴覚情報は、投薬計画の完了に向けたユーザーの進捗、容器内に残存している薬剤の量、薬剤を服用させるためのリマインダー、又はそれらの組み合わせを含む請求項４に記載の投薬装置。
【請求項１２】
前記コンピュータシステムは、
薬剤が吐出された時間、吐出された薬剤の量、前記容器内に残存している薬剤の量、又はそれらの組み合わせを含む情報を前記投薬装置から受信し、
ユーザーに対する投薬計画に関連する情報を含む情報を記憶装置から読み出し、
且つ投薬装置から受信した情報と前記記憶装置から読み出された情報との比較に基づいて、前記投薬計画に対する遵守の状態を決定するように構成されている請求項１に記載の投薬装置。
【請求項１３】
前記コンピュータシステムは、前記ユーザーの前記投薬計画に対する遵守の状態を示すメッセージをユーザー又は医師に送信するように構成されている請求項１に記載の投薬装置。
【発明の詳細な説明】
【技術分野】
【０００１】
〔関連出願の相互参照〕
本願は、２０１５年１月２９日に出願された米国特許出願第１４／６０８，７０４号の
優先権を主張し、その利益を主張するものであり、その全ての内容は参照により本明細書
に明示的に組み込まれる。
【０００２】
〔関連技術〕
本発明の様々な実施形態は、概して、投薬管理に関する。より具体的には、本発明のい
くつかの実施形態は、センサーを使用して投薬計画に対する遵守を監視するためのシステ
ム及び方法に関する。
【背景技術】
【０００３】
投薬処方の約３０％は、遵守されてない。さらに、慢性疾患用の治療薬の約５０％は処
方通りに投与されていない。この遵守の欠如は、健康に劇的な影響を及ぼす。非遵守は、
米国の医療システムに年間２，０００億ドルの負担をかけていると推定されている。一例
として、眼科では、投薬レジメンとも呼ばれる投薬計画を遵守することは、緑内障等の慢
性状態から生じる可能性のある視覚喪失及び失明を防止するために不可欠である。患者の
うちの７５％近くは、何らかの形の非遵守に関する行動を認めており、３０％以上の患者
は、自身の処方箋に従っておらず、そして５０％近くの患者は、自身の処方箋を６ヶ月以
内に中断している。
【０００４】
忘れるということは、服薬遵守の１つの障壁であるが、唯一の障壁ではない。さらに、
誤った時間に服用すること、早期に服用を停止すること、又は間違った量を服用すること
も、他の深刻な障壁である。残念なことに、健康の維持又は健康の改善に不可欠な投薬計
画の遵守を管理するための有効なシステムは存在しない。
【発明の概要】
【０００５】
開示された技術の実施形態は、以下の添付の図面の使用を通して描写され、説明される
。
【図面の簡単な説明】
【０００６】
【図１】図１は、様々な実施形態と合致する投薬装置の一例を説明している。
【図２】図２は、様々な実施形態と合致する投薬装置の拡大図である。
【図３】図３は、様々な実施形態と合致する、ユーザーが投薬装置を傾斜させた状態の側面図である。
【図４】図４は、様々な実施形態と合致する、ユーザーが点眼薬を吐出させるために投薬装置を使用している状態の図である。
【図５】図５は、様々な実施形態と合致する、ユーザーが錠剤を吐出させるために投薬装置を使用している状態の図である。
【図６Ａ】図６Ａは、様々な実施形態と合致する、薬剤吐出システムの図である。
【図６Ｂ】図６Ｂは、様々な実施形態と合致する、薬剤吐出システムの底部に配置された電子機器の図である。
【図７】図７は、様々な実施形態と合致する、ユーザーが錠剤を吐出させるために薬剤容器を使用している状態の図である。
【図８Ａ】図８Ａは、様々な実施形態と合致する、第１の機構を介してスマートフォンに接続する第１の投薬装置の図である。
【図８Ｂ】図８Ｂは、様々な実施形態と合致する、第２の機構を介してスマートフォンに接続する第２の投薬装置の図である。
【図９】図９は、様々な実施形態と合致する、センサーを使用して投薬計画に対する遵守を監視する例示的なプロセスを説明するアクティビティ図である。
【図１０Ａ】図１０Ａは、様々な実施形態と合致する、図９の例示的なプロセスを実行することができる装置の様々な組み合わせを説明するブロック図である。
【図１０Ｂ】図１０Ｂは、様々な実施形態と合致する、図９の例示的なプロセスを実行することができる装置の様々な組み合わせを説明するブロック図である。
【図１０Ｃ】図１０Ｃは、様々な実施形態と合致する、図９の例示的なプロセスを実行することができる装置の様々な組み合わせを説明するブロック図である。
【図１０Ｄ】図１０Ｄは、様々な実施形態と合致する、図９の例示的なプロセスを実行することができる装置の様々な組み合わせを説明するブロック図である。
【図１０Ｅ】図１０Ｅは、様々な実施形態と合致する、図９の例示的なプロセスを実行することができる装置の様々な組み合わせを説明するブロック図である。
【図１０Ｆ】図１０Ｆは、様々な実施形態と合致する、図９の例示的なプロセスを実行することができる装置の様々な組み合わせを説明するブロック図である。
【図１０Ｇ】図１０Ｇは、様々な実施形態と合致する、図９の例示的なプロセスを実行することができる装置の様々な組み合わせを説明するブロック図である。
【図１１】図１１は、様々な実施形態と合致する、本明細書に記載された少なくともいくつかの操作が実施され得る処理システムの一例を説明するブロック図である。
【図１２Ａ】図１２Ａは、様々な実施形態と合致する、投薬装置の一例を示す図である。
【図１２Ｂ】図１２Ｂは、様々な実施形態と合致する、投薬装置の一例を示す図である。
【図１３】図１３は、様々な実施形態と合致する投薬装置の拡大図である。
【図１４】図１４は、様々な実施形態と合致する、ユーザーが投薬装置を傾斜させた状態の側面図である。
【図１５】図１５は、様々な実施形態と合致する、ユーザーが点眼薬を吐出させるために投薬装置を使用している状態の図である。
【図１６】図１６は、様々な実施形態と合致する、ユーザーが錠剤を吐出させるために投薬装置を使用している状態の図である。
【図１７Ａ】図１７Ａは、様々な実施形態と合致する、第１の機構を介してスマートフォンに接続する第１の投薬装置の図である。
【図１７Ｂ】図１７Ｂは、様々な実施形態と合致する、第２の機構を介してスマートフォンに接続する第２の投薬装置の図である。
【０００７】
図面は必ずしも縮尺通りに描写されていない。例えば、図１〜４及び１２〜１５の投薬
装置に係る実施形態の要素、又は図６の薬剤吐出システムのような、図中におけるいくつ
かの要素の寸法は、本発明の実施形態の理解を助けるために、拡大され、又は縮小されて
もよい。同様に、いくつかの構成要素及び／又は操作は、本発明のいくつかの実施形態の
説明のために、異なるブロックに分離されてもよく、又は単一のブロックに結合されても
よい。さらに、本発明は、様々な改変及び代替形態が可能であるが、特定の実施形態は、
図面に例として示されており、以下に詳細に記載される。しかしながら、記載された特定
の実施形態に本発明を限定することが意図されたのではない。むしろ、本発明は、添付の
特許請求の範囲によって規定される本発明の範囲内に入る全ての改変物、等価物、及び代
替物をカバーすることが意図されたものである。
【発明を実施するための形態】
【０００８】
開示された技術の様々な実施形態は、概して、投薬管理に関する。より具体的には、本
発明のいくつかの実施形態は、例えば、投薬装置の圧力センサー又は携帯機器の運動セン
サー等のセンサーの使用を介して投薬計画に対する遵守及び／又は投薬計画に従っている
ことを監視及び／又は管理するためのシステム及び方法に関する。投薬計画は、人を健康
にし、又は健康を維持させるための薬剤に関する計画である。投薬計画は、例えば、人が
服用しているか、又は投与されている１以上の薬剤を特定することができ、１回の薬剤投
与又は複数回の薬剤投与が実施されるべき頻度及び／又は時間を特定することができ、服
用され又は投与されるべき薬剤投与の量又は数量を特定することができ、及び／又は、例
えば、薬剤が服用され又は投与されるべき時間の長さ又は開始及び終了時間等の、時間を
特定することができる。
【０００９】
人が投薬計画を遵守しない、及び／又は従うことができないことについては、多くの理
由がある。例えば、服用するのを忘れること、投薬計画を誤って理解していること、薬剤
投与の量又は数量、又はその薬を服用する時間について誤ってしまうこと、処方薬を補充
するのを忘れること、薬剤を買う余裕がないこと等である。この遵守の欠如は、人の健康
に深刻な影響をもたらす可能性がある。さらに、例えば、人が自分自身、その人の親戚、
その人の医師又は他の医療スタッフ等、人が投薬計画を遵守しているかどうかに利害関係
のある多数の人がいる可能性がある。例えば、高齢の親の子供は、親が投薬計画を遵守し
ない理由を特定し、その理由に対処するための措置を取ることができるように、親が投薬
計画を遵守していないときを知りたい場合がある。
【００１０】
開示された技術は、人の投薬計画に対する遵守、及び／又は投薬計画に従っていること
が監視されること、及び／又は管理されることを可能にする。容器から薬剤を吐出させる
ことは、通常、容器の動作を伴い、この動作は、特徴的な動作であり得る。例えば、ボト
ルから錠剤を吐出させるとき、使用者は、１つ以上の錠剤がボトルの一端の孔を通って出
てくるように、ボトルを持ち上げて傾け、そして振る可能性がある。運動センサーデータ
は、運動センサーによって生成されたデータである。容器と一体となって動く運動センサ
ーによって生成された運動センサーデータは、薬剤が吐出されているときに生じる傾き及
び揺れを示すことができる。運動センサーデータは、さらに、例えば、吐出中における容
器内での薬剤の移動により生じる振動を示すことができる。別の例では、使用者は、眼の
上方に点眼器を傾けて位置させ、点眼器を押圧して眼に液体の点眼薬を投薬する。さらに
別の例では、使用者は、加圧された吸入器を振って薬剤を混合し、該吸入器を口に配置し
、加圧ガスの放出によって吸入器から薬剤を放出させる機構を始動させる。容器から薬剤
が吐出されることに係るこれらの各例は、容器の特徴的な動作を伴う可能性がある。
【００１１】
運動センサーデータを生成する運動センサーの物理的な運動又は動作を決定するために
、運動センサーデータは、分析され得る。例えば、運動センサーは、運動センサーの加速
度ベクトルを表すデータを生成することができ、そのデータは、そのベクトルに沿った運
動センサーの加速度を示すことができる。いくつかの実施形態では、運動センサーは、容
器と一体となって動くことができる。関連する運動センサーの動作を決定するための運動
センサーデータの分析は、それに対応して、関連する容器の動作も決定することができる
。該動作は、その動作が吐出される薬剤の特徴的な動作に一致するかどうかを決定するた
めに分析され、それに応じて、その薬剤が吐出されたかどうかを決定するために分析され
得る。
【００１２】
いくつかの実施形態では、運動センサーデータ、及び／又は関連する表示された動作は
、薬の投与における薬剤の量又は数量を決定するために、さらに分析され得る。例えば、
吸入器は、１回分の投与量の薬剤が加圧ガスの放出によって吸入器から放出されるときに
特徴的な動きを示すことができる。使用者が吸入器から複数回分の投与量の薬剤を放出す
る場合、吸入器及び該吸入器と一体となって動く運動センサーの両方が、１回分の投与量
が放出されるたびに特徴的な動きを示すことができる。
【００１３】
いくつかの実施形態では、運動センサーは、容器に対して物理的に結合されることによ
って、容器と一体となって動く。一例では、薬剤を収容している容器は、投薬装置に挿入
されて保持される。投薬装置はまた、例えば、スマートフォン等の携帯機器に接続される
。容器、投薬装置、及びスマートフォンは、全て物理的に結合されており、これにより、
３つの全ての対象物が一体となって動くようになっている。スマートフォンは、運動セン
サーの動きを示す運動センサーデータを生成する運動センサーを含む。運動センサーは、
容器、投薬装置、及び携帯機器の全てと一体となって動くので、運動センサーデータは、
これら３つの対象物の動作も示す。
【００１４】
いくつかの実施形態では、スマートフォン上で動作するアプリケーションは、スマート
フォンが物理的に結合されている容器の物理的な運動又は動作を決定するために、運動セ
ンサーデータを分析することができる。動作が、１回分の量の薬剤が吐出された場合にお
ける特徴的な動作と一致する場合、アプリケーションは、１回分の量の薬剤が吐出された
と決定することができる。アプリケーションは、さらに、１回分として吐出された薬剤の
量又は数量を決定するために、運動センサーデータを分析することができる。
【００１５】
センサーデータは、圧力センサーによって収集され、薬剤が吐出されたかどうかを決定
するためにプロセッサによって分析されてもよい。いくつかの実施形態では、投薬装置は
、薬剤の容器を保持するように構成され、且つ開口部を含むジャケットを備える。開口部
は、ユーザーが薬剤を吐出させるために容器に圧力を加えることを許容する。いくつかの
実施形態では、圧力センサーは、ジャケットに結合され、ユーザーが開口部を介して容器
に圧力を加えることに反応して容器の横方向の拡張を感知するように構成されている。圧
力センサーは、例えば、ジャケットの内部空洞内に配置されてもよい。いくつかの実施形
態では、投薬装置は、圧力センサーによって記録されたデータを通信装置と交換するよう
に構成された無線通信モジュールをさらに備える。データは、適切な量の薬剤が投薬計画
に従って適切な時間に吐出されたかどうかを決定するために分析され得る。
【００１６】
いくつかの実施形態では、投薬装置は、薬剤が吐出されたことを感知するセンサーを含
み、また、投薬装置は、例えば、Ｂｌｕｅｔｏｏｔｈ、又はＬｉｇｈｔｎｉｎｇやｍｉｃ
ｒｏＵＳＢ等のコネクタを使用した直接接続を介してスマートフォンと通信することがで
きる。一例では、運動センサーが動くと、運動センサーは、アプリケーションが分析する
運動センサーデータを生成する。動作は、薬剤を吐出しようとしていることを示すもので
あるとアプリケーションが決定すると、アプリケーションは、投薬装置のセンサーを作動
させるために投薬装置に信号を送信する。
【００１７】
センサーは、この例では、レーザービームが変動し、及び／又は遮断されたことによっ
て示された時に薬剤が吐出されたと決定するようにレーザーと組み合わせて使用される光
センサーである。レーザー及び関連するセンサーは、容器から出ていく全ての薬剤がレー
ザービームを妨害するように配置される。薬剤が吐出されている間、アプリケーションは
、センサーデータに基づいてレーザービームの中断又は他の妨害を検出する。さらに、ア
プリケーションは、センサーデータの変動に基づいて、例えば、現在の投与でどれくらい
の数の錠剤が吐出されたか等の投与情報を決定する。
【００１８】
現在の投与は、投薬計画における複数回の投与のうちの１つであり得る。いくつかの実
施形態では、スマートフォンは、現在の投与量が吐出された時間、及び／又は日付を決定
する。スマートフォンは、現在の投与の投与情報であって、現在の投与量が吐出された、
及び／又は塗布された日時を含む投与情報をコンピュータシステムに送信する。スマート
フォンは、例えば、無線ネットワークを介して、投与情報をコンピュータシステムに送信
することができる。コンピュータシステムは、ユーザーに対する投薬計画を含むデータベ
ースにアクセスすることができる。コンピュータシステムは、投与情報を投薬計画によっ
て示される予想される投与情報と比較することができ、そしてユーザーが投薬計画を遵守
しているかどうかを決定することができる。
【００１９】
コンピュータシステムが、ユーザーが投薬計画を遵守していないと決定すると、コンピ
ュータシステムは、この決定に基づいてアクションを取ることができる。例えば、コンピ
ュータシステムは、ユーザー、ユーザーの親戚、医師又は他の医療スタッフ等、データベ
ースに列挙されている一連の人々の何れか、又は全てにメッセージを送信することができ
る。メッセージは、受信者に非遵守を通知することができ、及び／又は他の遵守関連情報
を届けることができる。
【００２０】
以下の詳細な説明では、説明の目的で、本発明の実施形態に対する完全な理解を提供す
るために、多くの具体的な詳細が説明される。しかしながら、当業者には、本発明の実施
形態は、これらの具体的な詳細のいくつかを用いずに実施され得ることは明らかであろう
。便宜上、本発明の実施形態は、薬剤の吐出を監視することを参照して記載されるが、本
発明の実施形態は、医療分野の他に、様々な他の種類の物質又は液体の吐出を監視するこ
とにも等しく適用可能である。
【００２１】
また、物理的な結合は、上記の例の記載に限定されるものではない。２つの対象物は、
様々な方法のうちの何れの方法でも物理的に結合され得る。例えば、第１の対象物は、第
２の対象物と一体化され又は接続されることによって、第２の対象物と物理的に結合され
ることができ、第２の対象物に接続された第３の対象物と一体化され又は接続されること
によって、第２の対象物と物理的に結合されることができる。第１の対象物が第２の対象
物と一体化され又は接続されると、結果として両対象物が一体となって動く。
【００２２】
さらに、運動センサーは、上記の例によるように容器に物理的に結合されることに限定
されない。様々な実施形態において、運動センサーは、例えば、容器と一体化され又は接
続されることによって、容器に接続され又は容器を保持している投薬装置と一体化され又
は接続されることによって、容器に接続されている携帯機器と一体化され又は接続される
ことによって、容器に接続され又は容器を保持している投薬装置に接続されている携帯機
器と一体化され又は接続されることによって、容器と物理的に結合される。これらの例が
示すように、運動センサーは、容器と一体となって動く際、容器、投薬装置、又は携帯機
器、同様に他の対象物と一体化され又はこれらに接続されていることができる。
【００２３】
さらに、ここで紹介された技術は、特殊用途のハードウェア（例えば回路）として、ソ
フトウェア及び／又はファームウェアで適切にプログラムされたプログラム可能な回路と
して、又は特殊用途の回路とプログラム可能な回路との組み合わせとして実施され得る。
例えば、いくつかの実施形態では、上記の投薬装置は、上記で議論されたセンサーデータ
を処理及び分析するための特殊用途のハードウェアを含む。従って、実施形態は、処理を
実行させるためのコンピュータ（又は他の電子デバイス）をプログラムするために使用さ
れる命令をそれ自身に記憶した機械可読媒体を含むことができる。機械可読媒体は、これ
らに限定されるものではないが、フロッピーディスク、光ディスク、コンパクトディスク
読み取り専用メモリ（ＣＯ−ＲＯＭ）、光磁気ディスク、ＲＯＭ、ランダムアクセスメモ
リ（ＲＡＭ）、消去可能プログラマブル読み取り専用メモリ（ＥＰＲＯＭ）、電気的消去
可能プログラマブル読み取り専用メモリ（ＥＥＰＲＯＭ）、磁気又は光カード、フラッシ
ュメモリ、又は電子命令を記憶するのに適した他の種類の機械可読媒体を含んでいてもよ
い。上記の例に対する追加の変形例が以下に説明される。
【００２４】
本願を通して使用された用語、略語、及び表現に関する簡潔な定義については、以下に
与えられる。
【００２５】
「いくつかの実施形態において」、「いくつかの実施形態によれば」、「示された実施
形態において」、「他の実施形態で」等、及びこれに類する表現は、一般に、この表現に
続く特定の機能、構造、又は特徴が本発明の少なくとも１つの実施例に含まれており、そ
して１以上の実施例に含まれてもよいことを意味している。さらに、そのような表現は、
必ずしも同じ実施形態又は異なる実施形態を参照しているものではない。
【００２６】
明細書が、構成要素又は機能が含まれ「てもよい」「ることができる」「得る」「るか
もしれない」、あるいは構成要素又は機能が特徴を有「してもよい」「することができる
」「し得る」「するかもしれない」と述べている場合には、その特定の構成要素又は機能
が含まれている必要がないか、又は特徴を有する必要はない。
【００２７】
「モジュール」という用語は、ソフトウェア、ハードウェア、又はファームウェア（又
はそれらの結合）の構成要素を広く参照する。モジュールは、典型的には、特定の入力を
使用して価値あるデータ又は他の出力を生むことができる機能的な構成要素である。モジ
ュールは、自己完結型であってもよいし、又は自己完結型でなくてもよい。アプリケーシ
ョンプログラム（アプリケーションとも呼ばれる）は、１以上のモジュールを含んでいて
もよいし、又はモジュールは、１以上のアプリケーションプログラムを含むことができる
。
【００２８】
「引き起こす」という用語及びその変形は、直接の因果関係又は間接の因果関係の何れ
かを指す。例えば、コンピュータシステムは、第２のコンピュータシステムにメッセージ
を送信することによって、第２のコンピュータシステムに対して動作を実行するように命
令し、要求し、又は指示するという動作を「引き起こす」ことができる。多数の仲介装置
が、この処理中にメッセージを検査、及び／又は中継してもよい。これに関して、装置は
、動作が最終的に実行されるかどうかを知らなくても、動作を「引き起こす」ことができ
る。
【００２９】
図１は、様々な実施形態と合致する投薬装置１００の一例を示す。図１に示すように、
投薬装置１００は、例えば、点眼薬や錠剤を収容するボトル、又は気体、液体又は粉末を
含む吸入器等の、物質又は液体を収容する容器を開口１１０内に包囲するジャケット、又
は拡張パック１０５を提供する。ジャケット１０５は、翼圧力機構１２０、触覚センサー
１３０、物質／液滴センサー１４０、及び電子モジュール部１５０を含むことができる。
翼圧力機構１２０は、ジャケット１０５の開口１１０内に容器を固定するための機構を提
供する。他の実施形態では、容器を固定するために他の機構が使用されてもよい。例えば
、異なるサイズのインサートが、ジャケット１０５の開口１１０内に固定される大きさで
形成されており、同時に、インサートは、容器を固定するためのより小さい開口を提供し
てもよい。他の場合では、様々なサイズ及び形状の容器の挿入を許容するのに十分な柔軟
性を有する異なる材料がジャケット１０５を裏打ちするために使用されてもよい。さらに
、ジャケット１０５内に容器を固定するために、様々な機械的レバー及び把持部材が使用
されてもよい。
【００３０】
触覚センサー１３０は、（例えば、ユーザーの指を検出するための）タッチ入力インタ
フェースを提供するために使用され得る。ユーザーの接触は、その後、装置を作動／停止
（即ち、オン／オフ）させることができる。いくつかの実施形態では、触覚センサー１３
０は、例えば、パルス、心拍数、酸素飽和度、血流内のグルコース濃度等の他の種類のデ
ータを検出して記録することができる。いくつかの実施形態では、投薬装置１００は、ユ
ーザーに装着されたもう一つの別個の装置からの医療情報（例えば、心拍数、グルコース
濃度）を取得する。投薬装置１００は、投薬装置１００又はユーザーに装着された別の装
置によって測定されたパルス、心拍数等に基づいて、吐出されるべき１以上の投与量を変
更することができる。例えば、投薬装置１００は、ユーザーの血圧が高すぎると判断され
た場合、投与量をその個人向けに変更することができる（即ち、増加、減少、吐出を拒否
する）。投薬装置１００又は他のウェアラブルデバイスによって収集された情報は、ロー
カルで（例えば、電子モジュール部１５０）、又は遠隔で（例えば、クラウドストレージ
データベースに送信される）分析され得る。いくつかの実施形態では、投薬装置１００は
、温度、湿度、圧力（例えば、気圧計）等を測定するセンサーを含む。センサーは、例え
ば、眼症状（例えば、ドライアイ、緑内障）を引き起こすか又は悪化させる環境刺激を分
析するために使用され得る。
【００３１】
物質／液滴検出器センサー１４０は、例えば、錠剤又は液滴等の物質が容器から出ると
きを検出することができる。物質／液滴センサー１４０は、何らかの物質が容器から放出
されたかどうかを検出することができる光学的（例えば、発光ダイオード（ＬＥＤ）／フ
ォトトランジスタ）センサーであってもよい。このような場合、物質がボトルから放出さ
れると、液滴はビームを遮断又は屈折させ、光センサーの出力を変動させる。物質／液滴
センサー１４０は、拡張パックの上部に配置されることができ、動力を節約するために、
運動検出器によって検出されるようにして容器が特定の位置にあるときにのみ作動される
ことができる。特定のジャケット構成及びセンサータイプがここで論じられるが、様々な
種類の容器を保持し、物質が容器から吐出又は放出されるときを検出するために、多種多
様なジャケット構成及びセンサータイプが使用され得ることが理解される。
【００３２】
いくつかの実施形態では、電子モジュール部１５０は、運動センサー１６０を収容し、
投薬装置における追加のモジュール及び／又は構成要素（例えば、プロセッサ、通信装置
、集積電子機器、記憶装置、電池、センサーなど）を収容することができる。例えば、い
くつかの実施形態では、電子モジュール部１５０は、ジェスチャー認識モジュールを含む
ことができる。ジェスチャー認識モジュールは、手及びボトルの動き及び位置を検出及び
提供するために使用され得る。誤った不必要な動作測定を避けるために、いくつかの実施
形態では、ジェスチャー認識モジュールは、触覚センサーがユーザーの指による接触を検
出した場合にのみ起動されてもよい。
【００３３】
いくつかの実施形態では、運動センサー１６０は、運動センサーの物理的な運動又は動
作を示す信号を生成する。運動センサー１６０は、投薬装置１００に取り付けられ、又は
埋め込まれており、結果として投薬装置１００と一体となって動くので、生成された信号
は、投薬装置１００の動き、及び投薬装置１００に保持され又は物理的に接続されている
全ての容器の動きも示す。いくつかの実施形態では、以下でより詳細に説明されるように
、投薬装置１００の動きは、投薬装置１００が物理的に接続された携帯機器の運動センサ
ーによって示され得る。運動センサー１６０、又は投薬装置１００が物理的に接続された
携帯機器の運動センサーは、装置１００に物理的に接続された容器の位置及び動きを示す
ために使用され得る。図８Ａ及び図８Ｂはそれぞれ、投薬装置１００に類似し、携帯機器
としてのスマートフォン８１０に異なる機構を介して物理的に接続された投薬装置８２５
及び８２０を示している。
【００３４】
別の例として、無線通信モジュールは、コンピュータ及び携帯通信装置に対してデータ
を送受信するために使用され得る。組み込まれたコントローラモジュールは、信号前処理
電子機器を含むことができる。さらに、モジュールは、Ｂｌｕｅｔｏｏｔｈ、３Ｇ又は４
Ｇを含むセルラー、Ｂｌｕｅｔｏｏｔｈ低エネルギー（ＢＬＥ）、近距離通信（ＮＦＣ）
、無線ローカルエリアネットワーク（ＷＬＡＮ）送信機（例えば、ＷｉＦｉ／ＩＥＥＥ８
０２．１１準拠送信機）、又は携帯機器やコンピュータにデータを送信及びロードする他
の無線技術を含んでいてもよい。携帯機器の例には、スマートフォン、タブレット、ポー
タブルメディアデバイス、ウェアラブルデバイス、ラップトップ、及び他のポータブルコ
ンピュータが含まれる。
【００３５】
いくつかの実施形態では、ジャケット１０５は、全体にわたって組み込まれた集積電子
機器及びコンポーネントを有することができる。図２に示されるように、電子モジュール
部１５０は、ジャケット１０５から取り外し可能である。その結果、いくつかの実施形態
は、それぞれが、異なる大きさ又は形状の薬剤容器を保持するために異なる大きさ及び長
さの開口を有する複数のジャケットを提供する。ジャケットは、取り外すことができ、電
子モジュール部を交換することができる。ジャケットは、ボトル又は他の容器がジャケッ
ト内に存在することを検出するための機械的、電気的又は電気機械的センサーを含むこと
ができる。例えば、いくつかの実施形態では、ジャケット内にボトルが存在することを検
出するために、光学要素又はスイッチが使用されてもよい。
【００３６】
図３は、様々な実施形態と合致する、ユーザーが携帯型投薬装置３１０を傾斜させた状
態の側面図である。一旦容器が装置内に配置され、ユーザーが携帯型投薬装置３１０と対
話を開始すると、様々なサブシステムがユーザーの活動を追跡するために作動され得る。
例えば、ユーザーが装置と対話する（例えば接触する、動かす等）とき、様々なセンサー
（例えば、液滴センサー、運動センサー等）が作動され得る。そして、図４に示すように
、ユーザーが携帯型投薬装置４１０を上下逆さまに傾けると、センサーは、例えば、点眼
薬４３０等の物質が容器４２０から放出されたかどうかを決定することができる。別の例
として、図５に示すように、ユーザーが携帯型投薬装置４１０を上下逆さまに傾けると、
センサーは、例えば、錠剤５３０等の物質が容器５２０から放出されたかどうかを決定す
ることができる。
【００３７】
図６Ａ及び図６Ｂは、それぞれ、様々な実施形態と合致する、薬剤吐出システムの図、
及び薬剤吐出システムの底部に配置された電子機器の図である。薬剤吐出システム６００
は、ＬＥＤ６１０、光センサー６２０、容器６３０、プリント回路基板（ＰＣＢ）６５０
、ＬＥＤ６１０及び光センサー６２０をＰＣＢ６５０に接続するために容器６３０の内部
又は側面上を走るワイヤ６４０、ＰＣＢ６５０に取り付けられ又は組み込まれた運動セン
サー６６０、ＰＣＢ６５０に取り付けられ又は組み込まれたバッテリ６７０を含む。容器
６３０は、薬剤等の物質を保存するために使用され得る。図６に示されるように、容器６
３０は、錠剤を保管するためのものである。いくつかの実施形態では、容器は、例えば、
液体、粉末、ゲル、気体等の他の物質を保存するように設計される。例えば、容器は吸入
器で、且つ物質は気体、液体又は粉末であってもよく、又は容器はチューブで、且つ物質
は抗真菌クリーム等のゲルであってもよい。
【００３８】
図６の実施形態では、運動センサー６６０は、薬剤吐出システム６００の物理的な運動
又は動作を示す運動センサーデータを生成する。バッテリ寿命を節約するために、薬剤吐
出システム６００の電子機器は、運動センサーを含み得る削減された一連の電子機器が使
用可能な低電力状態で設置され得る。薬剤吐出システム６００の電子機器は、プロセッサ
、通信装置、集積電子機器、メモリ記憶装置、センサー、バッテリ等を含むことができ、
例えば、運動センサー６６０及びバッテリ６７０等のそれらのうちのいくつかは、ＰＣＢ
６５０に配置され得る。
【００３９】
ユーザーが薬剤を吐出させるために容器を把持する等、薬剤吐出システム６００が動き
始めると、運動センサー６６０は、薬剤吐出システム６００の電子機器を作動状態にする
信号を送ることができる。ＬＥＤ６１０は、点灯し、光の放射を開始し、そしてその光は
、光センサー６２０によって検出される。図７に示すように、錠剤が容器から吐出される
ように容器６３０が傾斜すると、錠剤７１０はＬＥＤ６１０から光センサー６２０へ向け
て通過する光を妨害し、光センサー６２０の出力を変動させる。光センサーデータは、例
えば、薬剤吐出システム６００の電子機器のプロセッサ、携帯機器のプロセッサ、又はコ
ンピュータシステムのプロセッサ等のプロセッサに送信されることができ、プロセッサは
、光センサーデータを分析することができる。
【００４０】
例えば、光センサーデータは、ワイヤ６４０及びＰＣＢ６５０を通ってＰＣＢ上に組み
込まれたプロセッサに送られ、そこで、プロセッサは、光センサーデータを分析する。別
の例では、光センサーデータは、ワイヤ６４０及びＰＣＢ６５０を通ってＰＣＢ上に組み
込まれた通信デバイスに送られ、通信デバイスは、携帯機器にデータを無線で送信し、そ
こで、携帯機器のプロセッサは、光センサーデータを分析する。さらに別の例では、光セ
ンサーデータは、ワイヤ６４０及びＰＣＢ６５０を通ってＰＣＢ上に組み込まれた通信デ
バイス送られ、通信デバイスは、携帯機器にデータを無線で送信し、携帯機器は、ネット
ワークを介してデータをコンピュータシステムに送信し、そこで、コンピュータシステム
のプロセッサは、光センサーデータを分析することができる。もう１つの例では、光セン
サーデータは、ワイヤ６４０及びＰＣＢ６５０を通ってＰＣＢ上に組み込まれた通信デバ
イス送られ、通信デバイスは、Ｗｉ−Ｆｉルータにデータを無線で送信し、Ｗｉ−Ｆｉル
ータは、ネットワークを介してデータをコンピュータシステムに送信し、そこで、コンピ
ュータシステムのプロセッサは、光センサーデータを分析する。
【００４１】
光センサーデータを分析するプロセッサは、分析に基づいて、錠剤等の任意の物質が容
器から放出されたかどうかを決定することができる。さらに、プロセッサは、錠剤が何個
容器から放出されたかを決定するためにデータを分析することができ、その結果、吐出さ
れた薬剤の量又は数量を決定することができる。
【００４２】
様々な実施形態では、任意の様々な種類のセンサーからのデータは、任意の薬剤が容器
から放出されたかどうか決定するために、及び放出された薬剤の量又は数量を決定するた
めに、プロセッサによって使用され得る。センサーの種類としては、圧力センサー、光セ
ンサー、音センサー、電流センサー、流体センサー、流体速度センサー、力センサー、化
学センサー、磁場センサー、電界センサー、液滴センサー、熱センサー、触覚センサー等
を含み得る。
【００４３】
例えば、圧力センサー又は音センサーからのデータは、吸入器の薬剤が放出されたかど
うか、及び放出された薬剤の量を決定するためにプロセッサによって使用され得る。この
決定は、吸入器内におけるガスの検出圧力、又は吸入器から放出される加圧ガスの検出音
に基づいて行われ得る。別の例として、容器の底に位置し、容器が表面に置かれたときに
容器の重量に比例して圧力を受ける圧力センサーからのデータは、容器から吐出された薬
剤の重量を決定するためにプロセッサによって使用され得る。さらに別の例として、音セ
ンサーからのデータは、錠剤がボトルから放出されたときに錠剤が立てる音に基づいて錠
剤がボトルから放出されたかどうかを決定するためにプロセッサによって使用され得る。
【００４４】
いくつかの実施形態では、プロセッサは、運動センサー６６０からのデータに基づいて
、任意の物質が容器から放出されたかどうかを決定することができる。ユーザーが容器か
ら薬剤を吐出させるとき、容器は、特徴的な動作を示す可能性がある。例えば、ある位置
から別の位置に移動される際の容器６３０の動きが、錠剤が容器から放出されるように、
傾けられ、振られる際の容器６３０の動きと比較される場合、これらの動きは全く異なっ
たものとなる。傾けられ、振られる際の容器の動きは、非常に特徴的で、他の種類の動き
とは大きく異なる。錠剤を吐出するために容器６３０が傾けられ、振られているとき、運
動センサー６６０からの運動センサーデータは、前述したプロセッサの１つに送信され得
る。プロセッサは、運動センサーデータが、吐出されている薬剤の特徴的な動きと一致す
るかどうかを決定し、それに応じて、薬剤が吐出されたかどうかを決定するために、運動
センサーデータを分析することができる。
【００４５】
いくつかの実施形態では、プロセッサは、吐出された薬剤の量又は数量を決定するため
に、運動センサーデータをさらに分析することができる。例えば、容器６３０が、傾けら
れ、振られる度に１つの錠剤を放出するように設計された容器である場合、プロセッサは
、錠剤を放出するために容器６３０が傾けられ、振られた回数を決定するために、運動セ
ンサーデータを分析することができる。別の例として、容器６３０が点眼薬を含む容器で
あり、容器が圧縮される度に１滴が放出される場合、プロセッサは、容器が圧縮された回
数を決定するために、運動センサーデータを分析することができる。本明細書に開示され
た技術は、薬剤が吐出されたかどうか、及び吐出された薬剤の量又は数量を決定するため
に、様々な種類の薬剤が吐出されることに関連する多種多様な特徴的な動きに対して適用
され得る。
【００４６】
いくつかの実施形態では、薬剤吐出システム６００は、吐出されている薬剤を識別する
メッセージを送信することができる。例えば、ＰＣＢ６５０は、読み出し専用メモリ（Ｒ
ＯＭ）、又はフラッシュメモリ等の薬剤の識別情報を記憶する記憶装置を含むことができ
る。薬剤吐出システム６００の通信装置又はモジュールは、薬剤の識別情報を別の装置又
はモジュールに送信することができる。
【００４７】
図８Ａ及び図８Ｂは、それぞれ、様々な実施形態と合致する、第１及び第２の機構のそ
れぞれを介してスマートフォンに接続する第１及び第２の投薬装置の図である。図８Ａは
、互いに物理的に結合されたスマートフォン８１０、投薬装置８２５、及び容器８３０を
示している。容器８３０は、容器８３０を保持する投薬装置８２５に挿入される。投薬装
置８２５は、取り付け部品を使用してスマートフォン８１０に物理的に接続される。図８
Ａの実施形態では、取り付け部品は、ｍｉｃｒｏ−ＵＳＢ（ユニバーサルシリアルバス）
である。様々な実施形態では、図８Ａ及び図８Ｂに示すように、取り付け部品は投薬装置
８２０の一部とすることができ、又は取り付け部品は投薬装置８２０に物理的に接続可能
な別個の部品（図示せず）であってもよい。３つの全ての対象物８１０、８２５、及び８
３０は、物理的に互いに結合されているので、それらは全て一体となって動く。
【００４８】
図８Ｂは、全てが互いに物理的に結合されたスマートフォン８１０、投薬装置８２０、
及び容器８３０を示している。容器８３０は、容器８３０を保持する投薬装置８２０に挿
入される。投薬装置８２０は、取り付け部品を使用してスマートフォン８１０に物理的に
接続される。図８Ｂの実施形態では、取り付け部品は、取り付け部品８５０である。３つ
の全ての対象物８１０、８２０、及び８３０は、物理的に互いに結合されているので、そ
れらは全て一体となって動く。
【００４９】
取り付け部品として２つの具体的な構成が記載されているが、開示された技術は、多種
多様な取り付け部品に適用することができることが理解される。当業者が理解するように
、適切な取り付け部品は、様々な形状を取り得る。いくつかの実施形態では、取り付け部
品は、コネクタである。コネクタは、例えば、Ａｐｐｌｅ  Ｌｉｇｈｔｎｉｎｇコネクタ
、Ａｐｐｌｅ  ３０−ピンコネクタ、Ａｐｐｌｅ  Ｔｈｕｎｄｅｒｂｏｌｔコネクタ、フ
ルサイズＵＳＢコネクタ、標準ＵＳＢコネクタ、標準ＡタイプＵＳＢコネクタ、Ｂタイプ
ＵＳＢコネクタ、ミニＵＳＢコネクタ、ミニＵＳＢ  Ａタイプコネクタ、ミニＵＳＢ  Ｂ
タイプコネクタ、ｍｉｃｒｏ−ＵＳＢコネクタ、ｍｉｃｒｏ−ＵＳＢ  Ａタイプコネクタ
、ｍｉｃｒｏ−ＵＳＢ  Ｂタイプコネクタ、ＵＣ−Ｅ６コネクタ等である。さらに、取り
付け部品は、投薬装置を携帯機器に取り付けることができる任意の物理的部品であり得る
。様々な実施形態において、取り付け部品は、スマートフォン８１０に固定することがで
き、例えば、ベルクロ（登録商標）又は接着剤を利用する等してスマートフォン８１０に接着することができ、例えば、ファスナー等を使用してスマートフォン８１０に取り付けることができる。
【００５０】
図８Ａ及び図８Ｂの実施形態では、投薬装置８２０及び８２５は、運動センサーを含ん
でいない。スマートフォン８１０のプロセッサ又はリモートコンピュータのプロセッサ等
のプロセッサは、物理的に結合された３つの対象物の動きを決定するために、スマートフ
ォン８１０の運動センサーからのデータを分析することができる。いくつかの実施形態で
は、投薬装置は、２つのデバイスが通信することを可能にするために、例えば、スマート
フォン８１０等の携帯機器の互換コネクタに挿入されるｍｉｃｒｏ−ＵＳＢコネクタ８５
５を含む投薬装置８２５等のコネクタを含む。いくつかの実施形態では、投薬装置は、携
帯機器と無線通信する。いくつかの実施形態では、投薬装置８２０等の投薬装置は、任意
の電子機器を含んでいないか、又は有していない。
【００５１】
ユーザーは、薬剤８４０等の薬剤を容器８３０から吐出させるための準備として、投薬
装置８２０又は８２５をスマートフォン８１０に取り付けることができる。図８Ａ及び図
８Ｂの実施形態では、スマートフォン８１０は、投薬監視アプリケーションを含む。ユー
ザーが容器８３０から薬剤を吐出させる準備をすると、バックグラウンドで実行されてい
る投薬監視アプリケーションは、薬剤が吐出されようとしている可能性があると決定する
。いくつかの実施形態では、投薬装置８２０又は８２５は、ユーザーが、センサーによっ
て検知され得る何らかのアクションを取ったときに作動されるセンサーを含むことができ
る。
【００５２】
例えば、投薬装置８２０又は８２５は、薬剤を吐出させる準備中に彼がデバイスに接触
したときに、ユーザーが作動させる触覚センサーを含むことができる。ユーザーが装置に
触れたことを示す触覚センサーからのデータに基づいて、投薬装置８２０又は８２５は、
スマートフォン８１０に信号を送信することができる。該信号に基づいて、投薬監視アプ
リケーションは、スマートフォン８１０の運動センサーからの運動センサーデータの分析
を開始することができる。容器から吐出された薬剤の特徴的な動きを示す運動センサーデ
ータに基づいて、スマートフォン８１０は、薬剤が容器８３０から吐出されたと決定する
ことができる。いくつかの実施形態では、投薬装置８２０又は８２５のセンサーからのデ
ータは、薬剤が容器８３０から吐出されたことを決定するために、プロセッサによって分
析さる。
【００５３】
投薬装置８２０等の投薬装置が電子機器を含まない実施形態では、投薬監視アプリケー
ションは、いつ薬剤が吐出されるかを決定するために、スマートフォン８１０の運動セン
サーの運動センサーデータを継続的に分析することができる。上記で議論された技術と同
様の技術を使用して、投薬監視アプリケーションは、運動センサーデータが、吐出されて
いる薬剤の特徴的な動きと一致するかどうかを決定し、それに応じて、薬剤が吐出された
かどうかを決定するために、運動センサーデータを分析することができる。いくつかの実
施形態では、上記で議論された技術と同様の技術を使用して、投薬監視アプリケーション
は、吐出された薬剤の量又は数量を決定するために、運動センサーデータをさらに分析す
ることができる。
【００５４】
しかしながら、センサーデータを継続的に監視することは、望ましい電力よりも多くの
電力を消費し、又は必要な電力よりも多くの電力を消費し得る。電力を削減するために、
薬剤が吐出されようとしていることを示すデータが受信されると、センサーデータが分析
され得る。投薬監視アプリケーションは、薬剤がいくつかの方法で吐出されようとしてい
ることを検出することができる。例えば、ユーザーは、スマートフォン８１０のユーザー
インターフェースを使用して投薬監視アプリケーションを起動するか（薬剤が吐出されよ
うとしていることを示す）、又は投薬監視アプリケーションに対して薬剤が吐出されよう
としていることを通知する。起動されるか又は通知されるかに基づいて、投薬監視アプリ
ケーションは、薬剤が吐出されたかどうかを決定するために、スマートフォン８１０の運
動センサーからの運動センサーデータの分析を開始することができる。
【００５５】
いくつかの実施形態では、上記で議論された技術と同様の技術を用いて、投薬監視アプ
リケーションは、任意の薬剤が吐出されたか、及び／又は吐出された薬剤の量又は数量を
決定するために、投薬装置８２０又は８２５における光センサー又は圧力センサー等の他
のセンサーからのデータを分析することができる。
【００５６】
図９は、センサーを使用して投薬計画に対する遵守を監視する例示的なプロセスを説明
するアクティビティ図である。図９の例示的プロセスは、いくつかの実施形態では低電力
モードにあり、センサーデータ分析モジュール９１５が、センサーデータを監視すること
によって始まる（ステップ９３４）。センサーデータ分析モジュール９１５は、投薬計画
に対する遵守を監視することに関連して運動センサーデータを分析するモジュールである
。
【００５７】
センサーデータ分析モジュール９１５は、動作検知モジュール９０５からの運動センサ
ーデータを監視する。動作検知モジュール９０５は、薬剤容器と一体となって動くことが
できる運動センサーを含むモジュールである。例えば、図４に示すように、容器４２０に
物理的に結合されることで容器４２０と一体となって動く図４に示された投薬装置４１０
は、動作検知モジュール９０５を含むことができる。２つ目の例として、図８Ａ及び図８
Ｂに示すように、容器８３０に物理的に結合されることで容器８３０と一体となって動く
スマートフォン８１０は、動作検知モジュール９０５を含むことができる。動作検知モジ
ュール９０５の運動センサーが運動センサーデータを生成すると、動作検知モジュール９
０５は、運動センサーデータをセンサーデータ分析モジュール９１５に送信する（ステッ
プ９２２）。
【００５８】
いくつかの実施形態では、センサーデータ分析モジュール９１５は、第２のセンサーか
らのセンサーデータも監視する（ステップ９３４）。図６の説明において上記で説明した
ように、第２のセンサーは、薬剤が薬剤容器から放出されたかどうかを検出するために使
用され、及び／又は放出された薬剤の量又は数量を決定するために使用され得る。第２の
センサーは、例えば、圧力センサー、光センサー、音センサー、電流センサー、流体セン
サー、流体速度センサー、力センサー、化学センサー、磁場センサー、電界センサー、液
滴センサー、熱センサー、触覚センサー等である。
【００５９】
第２のセンサーモジュール９１０は、第２のセンサーを含むモジュールである。いくつ
かの実施形態では、動作検知モジュール９０５の運動センサーは、薬剤が容器から放出さ
れたかどうかを検出するために使用され、及び／又は放出された薬剤の量又は数量を決定
するために使用され得る。第２のセンサーは、薬剤が容器から放出されたかどうかを検出
するため、及び／又は放出された薬剤の量又は数量を決定するため必要とされない場合に
は、第２のセンサー及び第２のセンサーモジュール９１０は、これらの実施形態から省略
することができる。いくつかの実施形態では、第２のセンサーモジュール９１０は、第２
のセンサーからのデータをセンサーデータ分析モジュール９１５にデータを送信する（ス
テップ９２８）。
【００６０】
ステップ９３４のセンサーデータを受信した後、センサーデータ分析モジュール９１５
は、ウェイクアップ信号を送信するかどうかを決定することができる（ステップ９３６）
。様々な実施形態では、ウェイクアップ信号は、動作検知モジュール９０５、第２のセン
サーモジュール９１０、センサーデータ分析モジュール９１５、又はコンプライアンス分
析モジュール９２０の何れかに送信されることができ、そして、それらの何れか又は全て
は、低電力状態にあることができる。センサーデータ分析モジュール９１５は、運動セン
サーデータを分析して、薬剤が吐出されようとしていることを示しているかどうかをデー
タが決定することができ、且つウェイクアップ信号を送信するかどうかを決定することが
できる（ステップ９３６）。センサーデータ分析モジュール９１５が、薬剤が吐出されよ
うとしている可能性があると決定した場合、モジュールは、ウェイクアップ信号を送信す
ることができる。センサーデータ分析モジュール９１５が、薬剤が吐出されようとしてい
ないと決定すると、モジュールは、センサーデータを監視し続けることができる（ステッ
プ９３４）。
【００６１】
例えば、動作検知モジュール９０５から受信した運動センサーデータは、運動センサー
及び／又は運動センサーが物理的に結合されている薬剤容器が、例えば３インチ等、所定
量よりも遠くに移動したことを示すことができる。運動センサーデータ及び／又は動きに
関連する表示に基づいて、センサーデータ分析モジュール９１５は、薬剤が吐出されよう
としている可能性があると決定することができ、且つウェイクアップ信号を送信すること
を決定することができる。別の例として、第２のセンサーは触覚センサーとすることがで
き、センサーデータ分析モジュール９１５によって受信された第２のセンサーモジュール
９１０からの触覚センサーデータは、人が触覚センサーに触れたこと、及び／又は人が薬
剤を吐出させるために使用される容器に触れたことを示すことができる。第２のセンサー
データに基づいて、センサーデータ分析モジュール９１５は、薬剤が吐出されようとして
いる可能性があると決定することができ、且つウェイクアップ信号を送信することを決定
することができる。さらに別の例として、動作検知モジュール９０５から受信された運動
センサーデータは、ボトルが、例えば３インチ等の所定量よりも小さい量で移動したこと
を示すことができる。運動センサーデータ及び／又は動きに関連する指標に基づいて、セ
ンサーデータ分析モジュール９１５は、薬剤が吐出されようとしていないと決定すること
ができ、センサーデータを監視し続けることができる（ステップ９３４）。
【００６２】
ステップ９２４、９３０、９３７、及び９５１は、動作検知モジュール９０５、第２の
センサーモジュール９１０、センサーデータ分析モジュール９１５、及びコンプライアン
ス分析モジュール９２０のそれぞれが低電力状態に入る実施形態において起こり得るステ
ップである。ステップ９２４、９３０、９３７、及び９５１では、動作検知モジュール９
０５、第２のセンサーモジュール９１０、センサーデータ分析モジュール９１５、及びコ
ンプライアンス分析モジュール９２０がそれぞれウェイクアップする。モジュールが「ウ
ェイクアップする」と、モジュールは低電力における機能／活動が低下した状態からウェ
イクアップし、モジュールが通常の機能／活動を実行できる通常の状態に入る。例えば、
動作検知モジュール９０５、第２のセンサーモジュール９１０、センサーデータ分析モジ
ュール９１５、及びコンプライアンス分析モジュール９２０は、ステップ９２４、９３０
、９３７、及び９５１でウェイクアップした後、それぞれ、運動センサーデータを送信す
ることができ（ステップ９２６）、第２のセンサーデータを送信することができ（ステッ
プ９３２）、基準運動データを受信することができ（ステップ９３８）、及び／又はセン
サーデータを分析することができ（ステップ９４０）、及び／又は基準運動データを取得
するために（ステップ９５０）及び／又は投薬計画データを取得するために（ステップ９
５２）データベースにアクセスすることができる。
【００６３】
図９の例示的なプロセスでは、ユーザーは薬剤容器を把持し、薬剤を吐出しようとして
いる。ユーザーが容器を動かすと、容器に物理的に結合されている動作検知モジュール９
０５及びそれの運動センサーが、容器と一体となって動く。動作検知モジュール９０５は
、運動センサーによって生成された運動センサーデータをセンサーデータ分析モジュール
９１５に送信する（ステップ９２６）。いくつかの実施形態では、ユーザーが容器を傾斜
させ、薬剤を吐出させると、第２のセンサーは、第２のセンサーモジュール９１０がセン
サーデータ分析モジュール９１５に送信する第２のセンサーデータを生成する（ステップ
９３２）。
【００６４】
センサーデータ分析モジュール９１５は、薬剤が吐出されたかどうかを決定するために
（ステップ９４２）、運動センサーデータ及び／又は第２のセンサーデータの何れかを分
析する（ステップ９４０）。いくつかの実施形態では、センサーデータ分析モジュール９
１５は、薬剤が吐出されたかどうかを決定するために（ステップ９４２）、及び／又は例
えば、吐出された薬剤の量又は数量、薬剤が吐出された日付／時間等の、吐出された薬剤
の特性を決定するために（ステップ９４４）、第２のセンサーデータを分析する（ステッ
プ９４０）。例えば、図６の薬剤吐出システム６００は、第２のセンサーである光センサ
ー６２０を含み、そして、いくつかの実施形態では、光センサーデータは、薬剤が吐出さ
れたかどうか、及び／又は吐出された薬剤の量又は数量を決定するために分析される。
【００６５】
いくつかの実施形態では、センサーデータ分析モジュール９１５は、薬剤が吐出された
かどうかを決定するために（ステップ９４２）、及び／又は吐出された薬剤の特性を決定
するために（ステップ９４４）、運動センサーデータを分析する（ステップ９４０）。例
えば、薬剤吐出システム６００は、運動センサー６６０を含み、そして、いくつかの実施
形態では、運動センサーデータは、薬剤が吐出されたかどうか、及び／又は吐出された薬
剤の量又は数量を決定するために分析される。
【００６６】
センサーデータ分析モジュール９１５は、上記で議論した方法を含む様々な方法の何れ
によっても運動センサーデータを分析することができる。例えば、いくつかの実施形態で
は、センサーデータ分析モジュール９１５は、基準運動データをコンプライアンス分析モ
ジュール９２０から受信し（ステップ９３８）、基準運動データは、コンプライアンス分
析モジュール９２０が予めデータベースから取得しておくことができる（ステップ９５０
）。基準運動データは、薬剤を吐出しようとしている、又は薬剤を吐出させようとしてい
るユーザーの動きの特徴を示すデータを含むことができる。センサーデータ分析モジュー
ル９１５は、基準運動データを動作検知モジュール９０５からのセンサーデータと比較し
、比較に基づいて、薬剤が吐出されたかどうかを決定することができ（ステップ９４２）
、及び／又は吐出された薬剤の量又は数量を決定することができる（ステップ９４４）。
【００６７】
製薬会社は、薬剤開発プログラムの一部として医薬品研究を実施する。製薬会社が医薬
品研究の中で経験する問題の１つは、研究参加者が医薬品研究における投薬計画に対して
非遵守であることである。これらの医薬品研究から得られる結果の正確性を高めるために
、多くの製薬会社は、研究参加者の投薬計画に対する遵守を監視する精度を高めたいと考
えている。さらにこの目標を達成するために、いくつかの製薬会社は、医薬品研究の参加
者が投薬計画を遵守していることをより正確に検証できるようにするために、上記及びそ
れを超える証拠を得ることを望んでいる。
【００６８】
いくつかの実施形態では、センサーデータ分析モジュール９１５は、薬剤が吐出された
という追加の証拠を得られるようにするためにメッセージを送信する（ステップ９４８）
。例えば、センサーデータ分析モジュール９１５は、携帯機器上で実行されている投薬監
視アプリケーションにメッセージを送信することができる。このメッセージに基づいて、
投薬監視アプリケーションは、ユーザーに薬剤を特定するよう促すことや、携帯機器に写
真を撮らせ、ビデオを録画させ、若しくはオーディオレコーダーを起動させ又は携帯機器
がユーザーに、写真を撮り、ビデオを録画し、若しくはオーディオレコーダーを起動させ
るように促すようにすることができる。この写真／ビデオ／オーディオデータは、製薬会
社従業員によって手動で分析されるか、又はコンピュータシステムによって自動的に分析
されて、投薬計画に対する遵守をさらに有効なものにする。
【００６９】
例えば、薬剤が点眼薬であり、図８Ａ又は図８Ｂの実施形態の投薬装置が点眼薬を吐出
させるために使用されている場合等、使用者が薬剤を使用していることをビデオが表示す
る場合、ビデオは、ユーザーが実際に薬剤を使用したことを検証するために分析される。
別の例として、例えば、ステップ９４８のメッセージの受信に基づいて、スマートフォン
８１０によって記録されたビデオは、スマートフォンがユーザーの頭より上に持ち上げら
れ、そしてユーザーが点眼薬を投与するしばらくの間、スマートフォンがそこに保持され
ることを表示することができる。このような場合、ビデオは、点眼薬がユーザーの眼に入
っていくことを実際に表示するものではないが、点眼薬が投与されたという追加の証拠を
提供し、それが、ユーザーが点眼薬を投与していることと一致することを検証するために
分析される。
【００７０】
さらに別の例として、写真又はビデオが、薬剤容器又は薬剤自体の薬剤ラベルを表示す
るとき、写真／ビデオは、吐出されている薬剤の識別情報を決定するために分析されるこ
とができる。別の例として、ユーザーは、投薬監視アプリケーションによって、薬剤の名
前を述べるように促されることができ、そして音声録音は、吐出されている薬剤の識別情
報を決定するために分析され得る。もう１つの例として、投薬監視アプリケーションは、
吐出されている薬剤を識別するために、ユーザーが服用している薬剤のグラフィック表示
を表示して、ユーザーが適切なグラフィック表示に触れるように促すことができる。
【００７１】
センサーデータ分析モジュール９１５は、薬剤データをコンプライアンス分析モジュー
ル９２０に送信する（ステップ９４６）。薬剤データは、薬剤が吐出されたかどうかの決
定、薬剤が吐出された日付及び／又は時間、吐出された薬剤の量又は数量、薬剤が吐出さ
れた証拠等を含むことができる。コンプライアンス分析モジュール９２０は、投薬計画に
対するユーザーの遵守状態を決定するために薬剤データを分析するモジュールである。コ
ンプライアンス分析モジュール９２０は、投薬計画に関するデータである投薬計画データ
を取得するために、例えば、データベース、又はファイル若しくはスプレッドシート等の
他の記憶媒体にアクセスすることができる（ステップ９５２）。
【００７２】
コンプライアンス分析モジュール９２０は、投薬計画に対する遵守の状態を決定するた
めに（ステップ９５６）、投薬計画データを薬剤データと比較することができる（ステッ
プ９５４）。いくつかの実施形態では、投薬計画データは、薬剤が投与される時間及び日
付、及び関連する薬剤の量又は数量を含む。コンプライアンス分析モジュール９２０は、
薬剤の投与に対する薬剤データを受信すると、正しい時間に薬剤が投与されたか、正しい
量又は数量の薬剤が投与されたかなどを決定するために、薬剤データを投薬計画データと
比較することができる。薬剤データは、薬剤が吐出された時間及び／又は日付、及び薬剤
の量又は数量を含むことができる。いくつかの実施形態では、投薬計画データ及び薬剤デ
ータの両方は、薬剤の識別情報を含む。コンプライアンス分析モジュール９２０は、ユー
ザーが投薬計画を遵守しているか、又は従っているかを決定するために、これらの２つの
薬剤識別情報を比較することができる。
【００７３】
コンプライアンス分析モジュール９２０が投薬計画データを投薬日と比較するとき、該
比較は、許容差を含むことができる。例えば、薬剤が吐出／投与された時間がその投薬に
対する投薬計画によって示された時間の所定の許容差の範囲内にある場合、投薬は、投薬
計画に従っている。別の例として、吐出／投与された薬剤の量又は数量が、投薬計画によ
って示された投与量の所定の許容差の範囲内にある場合、投薬は、投薬計画に従っている
。
【００７４】
許容差は、他の投与に係る薬剤データを考慮する機能に基づくことができる。いくつか
の実施形態では、特定の投与に対する許容差は、それよりも前の投与に基づく。例えば、
前回の投与が投薬計画時間に非常に近いところで実施された場合、この機能は、前回の投
与に対する許容差と比較して現在の投与に対する許容差を増加させることができる。
【００７５】
決定された遵守の状態、薬剤データ、及び／又は投薬計画データに基づいて、コンプラ
イアンス分析モジュール９２０は、アクションを取ることができる（ステップ９５８）。
取られるアクションは、遵守の状態を示すメッセージの送信、薬剤を投与すること、薬剤
を投与していないこと、薬剤の投与が遅れていること等をユーザーに通知するメッセージ
の送信、処方箋を更新及び／又は補充されるようにするメッセージの送信等の様々なアク
ションの何れであってもよい。遵守の状態を示すメッセージは、例えば、（携帯機器等の
デバイス又はコンピュータシステムを介して）ユーザー、ユーザーに関連する医療従事者
、ユーザーの親戚、薬局、保険会社、ユーザーが参加者である医薬品研究のメンバー等、
様々な当事者の何れにも送信され得る。
【００７６】
いくつかの実施形態では、メッセージは、ユーザーが投薬計画を遵守していないことを
様々な当事者に通知し、問題の種類に関する詳細を提供することができる。例えば、メッ
セージは、ユーザーが１回の薬剤の投与を逸したこと、又はユーザーが過去１週間の全て
の投与を逸したことを様々な当事者に通知することができる。別の例として、メッセージ
は、ユーザーが全ての投与を行っている一方で、投薬計画によって指示された時間に十分
近い時間に投与していないことを様々な当事者に通知することができる。
【００７７】
図１０Ａから図１０Ｇは、様々な実施形態と合致する、図９の例示的なプロセスを実行
することができる装置の様々な組み合わせを説明するブロック図である。図１０Ａから１
０Ｇのそれぞれは、図９の４つのモジュールである、動作検知モジュール９０５、第２の
センサーモジュール９１０、センサーデータ分析モジュール９１５、及びコンプライアン
ス分析モジュール９２０を含む。各モジュールは、図９の列内においてモジュールの下方
に表示されたアクティビティを実行することができる。さらに、これらのモジュールは、
図９の例示的なプロセスを実行するために全てが必要とされるわけではなく、いくつかの
実施形態では、これらのモジュールのサブセットを使用してプロセスを実行することがで
きる。これらの図は、図９の例示的なプロセスを実行することができるデバイスの様々な
組み合わせを表しているが、特定された組み合わせは網羅的ではなく、他のデバイスの組
み合わせも可能である。例えば、プロセスは、図９の４つのモジュールを含む投薬装置に
よって実行されることができ、そのような投薬装置は、図１０Ａから図１０Ｇの何れでも
特定されていない。
【００７８】
図１０Ａは、第２のセンサーモジュール９１０を含む薬剤吐出システム１００６、動作
検知モジュール９０５を含む投薬装置１０１１、センサーデータ分析モジュール９１５を
含む携帯機器１０１６、及びコンプライアンス分析モジュール９２０を含むコンピュータ
システム１０２１という４つのデバイスを含む。薬剤吐出システム１００６は、例えば、
図６の薬剤吐出システム６００とすることができる。投薬装置１０１１は、例えば、図１
、図３及び図４に示される投薬装置１００、３１０、又は４１０とすることができる。薬
剤吐出システムと投薬装置との１つの差異は、薬剤吐出システムは、一体化された薬剤容
器を含むのに対して、投薬装置は、物理的に別個の薬剤容器に対して、例えば、容器を保
持し、又は容器に取り付けられる等の手段で物理的に結合できるように構成されているこ
とである。携帯機器１０１６は、例えば、図８Ａ又は図８Ｂのスマートフォン８１０とす
ることができる。コンピュータシステム１０２１は、例えば、図１１の処理装置１１００
とすることができる。
【００７９】
図１０Ｂは、動作検知モジュール９０５及び第２のセンサーモジュール９１０を含む投
薬装置１０１２、携帯機器１０１６、及びコンピュータシステム１０２１という３つのデ
バイスを含む。投薬装置が運動センサー及び第２のセンサーの両方を含んでいる実施形態
では、投薬装置１０１２は、例えば、図１、図３、図４、図８Ａ、又は図８Ｂのそれぞれ
に示される投薬装置１００、３１０、４１０、８２５、又は８２０とすることができる。
【００８０】
図１０Ｃは、動作検知モジュール９０５及び第２のセンサーモジュール９１０を含む薬
剤吐出システム１００８、及びセンサーデータ分析モジュール９１５及びコンプライアン
ス分析モジュール９２０を含むコンピュータシステム１０１８という２つのデバイスを含
む。実施形態では、薬剤吐出システム１００８は、例えば、図６の薬剤吐出システム６０
０とすることができ、その実施形態では、薬剤吐出システム６００が運動センサー及び第
２のセンサーの両方を含んでいる。コンピュータシステム１０１８は、例えば、図８Ａ又
は図８Ｂのスマートフォン８１０とすることができる。
【００８１】
図１０Ｄは、動作検知モジュール９０５、第２のセンサーモジュール９１０、センサー
データ分析モジュール９１５、及びコンプライアンス分析モジュール９２０を含む薬剤吐
出システム１００９という１つのデバイスを含む。実施形態では、薬剤吐出システム１０
０９は、例えば、図６の薬剤吐出システム６００とすることができ、その実施形態では、
薬剤吐出システム６００が運動センサー及び第２のセンサーの両方を含み、且つセンサー
データ分析モジュール９１５及びコンプライアンス分析モジュール９２０の統合をサポー
トするために必要とされるプロセッサ、ストレージ等を有する。
【００８２】
図１０Ｅは、薬剤吐出システム１００６、動作検知モジュール９０５及びセンサーデー
タ分析モジュール９１５を含む携帯機器１０３６、及びコンピュータシステム１０２１と
いう３つのデバイスを含む。携帯機器１０３６は、例えば、図８Ａ又は図８Ｂのスマート
フォン８１０とすることができる。
【００８３】
図１０Ｆは、動作検知モジュール９０５、第２のセンサーモジュール９１０、及びセン
サーデータ分析モジュール９１５を含む薬剤吐出システム１０２７、及びコンピュータシ
ステム１０２１という２つのデバイスを含む。実施形態では、薬剤吐出システム１０２７
は、例えば、図６の薬剤吐出システム６００とすることができ、その実施形態では、薬剤
吐出システム６００が運動センサー及び第２のセンサーの両方を含み、且つセンサーデー
タ分析モジュール９１５の統合をサポートするために必要とされるプロセッサ、ストレー
ジ、通信等を有する。
【００８４】
図１０Ｆは、動作検知モジュール９０５、第２のセンサーモジュール９１０、及びセン
サーデータ分析モジュール９１５を含む投薬装置１０２８、及びコンピュータシステム１
０２１という２つのデバイスを含む。実施形態では、投薬装置１０２８は、例えば、図１
、図３、又は図４に示される投薬装置１００、３１０、又は４１０とすることができ、そ
の実施形態では、投薬装置１００、３１０、又は４１０が運動センサー及び第２のセンサ
ーの両方を含み、且つセンサーデータ分析モジュール９１５の統合をサポートするために
必要とされるプロセッサ、ストレージ、通信等を有する。
【００８５】
図１１は、様々な実施形態と合致する、本明細書に記載された少なくともいくつかの操
作が実施され得る処理システムの一例を説明するブロック図である。処理装置１１００は
、例えば、投薬装置、薬剤吐出システム、携帯機器、又はコンピュータシステム等の上記
に記載された装置の何れかを表すことができる。これらのシステムの何れも、図１１に示
すように、ネットワーク又は複数のネットワークを介して互いに結合され得る２つ以上の
処理装置を含むことができる。
【００８６】
図示された実施形態では、処理システム１１００は、相互接続１１１４によって全てが
互いに結合された１以上のプロセッサ１１１０、メモリ１１１１、通信装置１１１２、１
以上の入力／出力（Ｉ／Ｏ）装置１１１３を含む。相互接続１１１４は、１以上の導電性
トレース、バス、二地点間接続、コントローラ、アダプタ、及び／又は他の従来の接続装
置であってもよく、又はそれらを含んでいてもよい。プロセッサ１１１０は、例えば、１
以上の汎用プログラマブルマイクロプロセッサ、マイクロコントローラ、特定用途向け集
積回路（ＡＳＩＣ）、プログラマブルゲートアレイ、又はこれらに類するもの、又はその
ような装置の任意の組み合わせであってもよく、それらを含んでいてもよい。プロセッサ
１１１０は、処理装置１１００の全体的な動作を制御する。メモリ１１１１は、ランダム
アクセスメモリ（ＲＡＭ）、読み取り専用メモリ（ＲＯＭ）（消去可能及びプログラム可
能であってもよい）、フラッシュメモリ、小型ハードディスクドライブ、又は他の適切な
種類の記憶装置、又はそのような装置の任意の組み合わせという形式の１以上の物理的な
記憶装置であってもよく、それらを含んでいてもよい。メモリ１１１１は、上記の技術に
従って動作を実行するようにプロセッサ１１１０を構成するデータ及び命令を保存するこ
とができる。通信装置１１１２は、例えば、イーサネット（登録商標）アダプタ、ケーブルモデム、Ｗｉ−Ｆｉアダプタ、セルラートランシーバ、Ｂｌｕｅｔｏｏｔｈ（登録商標）トランシーバ、又はこれらに類するもの、又はそれらの任意の組み合わせであってもよく、それらを含んでいてもよい。処理装置１１００の特定の特性及び目的に従って、Ｉ／Ｏ装置１１１３は、例えば、ディスプレイ（タッチスクリーンディスプレイであってもよい）、オーディオスピーカ、キーボード、マウス又は他のポインティングデバイス、マイクロフォン、カメラ、センサー等、様々な装置を含むことができる。
【００８７】
図１２Ａ及び１２Ｂは、様々な実施形態と合致する、投薬装置の一例を示す図である。
投薬装置１２００は、点眼薬又は錠剤を含むボトル、又は気体、液体又は粉末を含む吸入
器等の物質又は液体を収容する容器を開口１２１０内において包囲するジャケット１２０
５を提供する。ジャケット１２０５は、触覚センサー１２３０、物質／液滴センサー１２
４０、電子モジュール部１２５０、１以上のジャケット開口部１２７０、又はそれらのい
くつかの組み合わせを含むことができる。いくつかの実施形態では、ジャケット１２０５
の開口１２１０内に容器を固定するための機械的機構（例えば、翼圧力機構、レバー、把
持部材）が使用される。他の実施形態では、ジャケット１２０５は、様々なサイズ及び形
状の容器の挿入を許容するのに十分な柔軟性を有する材料で裏打ちされる。
【００８８】
投薬装置１２００は、ユーザーがジャケット１２０５の開口１２１０内に配置された容
器に直接圧力を加えることを許容する１つ以上のジャケット開口部１２７０を備えること
ができる。ユーザーが容器に圧力を加えると、物質が容器から放出される。いくつかの実
施形態では、物質／液滴センサー１２４０は、錠剤又は液滴等の物質が容器から出ていく
ときを検出することができる。物質／液滴センサー１２４０は、何らかの物質が容器から
放出されたかどうかを検出することができる光学（例えば、ＬＥＤ／フォトトランジスタ
）センサーとすることができる。これらの実施形態では、物質がボトルから放出されると
、液滴は、ビームを遮断又は屈折させ、光センサーの出力を変動させる。物質／液滴セン
サー１２４０は、拡張パックの上部に配置されることができ、動力を節約するために、運
動検出器によって検出されるようにして容器が特定の位置にあるときにのみ起動されるこ
とができる。
【００８９】
他の実施形態では、１以上の圧力センサー１２８０は、ジャケット１２０５に結合され
、開口１２１０内に配置されることができる。圧力センサー１２８０は、ユーザーが開口
部１２７０を介して容器に圧力を加えると、容器の拡張が１以上圧力センサー１２８０に
圧力を加えるように構成されている。特定のジャケット構成及びセンサータイプについて
ここで説明され、図１２Ａ及び図１２Ｂで示されているが、物質が容器から吐出又は放出
されるときを検出するために、多種多様なジャケット構成、センサータイプ及び配置が使
用され得ることが理解される。
【００９０】
１以上の圧力センサー１２８０は、情報（例えば、薬剤が吐出された時間、吐出量）を
電子モジュール部１２５０内に収容された様々なモジュールに伝達するように構成され得
る。例えば、圧力センサー１２８０は、コンピュータ又は別の携帯通信装置との間でデー
タを送受信するために使用され得る無線通信モジュールと情報を通信することができる。
【００９１】
いくつかの実施形態では、センサー１２９０は、容器がジャケット１２０５の開口１２
１０内に配置されているかどうかを感知するように構成されていることができる。センサ
ー１２９０は、例えば、１以上の圧力センサー１２８０のうちの１つとすることができる
。しかしながら、センサーは、１以上の圧力センサー１２８０とは異なるものとすること
ができる。様々な実施形態では、センサー１２９０は、容器をジャケットの開口１２１０
内に固定するための機構を提供するように構成され得る。例えば、容器を固定するために
、翼圧力機構（例えば、図１の翼圧力機構１２０）が配置され得る。
【００９２】
いくつかの実施形態では、電子モジュール部１２５０は、運動センサー１２６０を収容
し、投薬装置における追加のモジュール及び／又はコンポーネント（例えば、プロセッサ
、通信装置、集積電子機器、記憶装置、電池、センサー等の）を収容することができる。
運動センサー１２６０は、投薬装置１２００に取り付けられ、又は埋め込まれており、結
果として投薬装置１２００と一体となって動くので、生成された信号は、投薬装置１２０
０の動き、及び投薬装置１２００に保持され、又は物理的に接続されている全ての容器の
動きも示す。いくつかの実施形態では、以下でより詳細に説明されるように、投薬装置１
２００の動きは、投薬装置１２００が物理的に接続された携帯機器の運動センサーによっ
て示され得る。投薬装置１２００に物理的に接続された１以上の圧力センサー１２８０は
、運動センサー１２６０が投薬装置１２００の動きを感知するまでオフの状態となるよう
に構成されていてもよい。１以上の圧力センサー１２８０は、センサー１２９０が、容器
がジャケット１２０５の開口１２１０内に固定されていると決定し、又はユーザーが触覚
センサー１２３０と対話するまでオフの状態となるように構成されていてもよい。図１７
Ａ及び図１７Ｂは、異なる機構を介して携帯機器であるスマートフォン１７１５に物理的
に接続された、投薬装置１２００と同様の投薬装置１７００を示す。
【００９３】
いくつかの実施形態では、ジャケット１２０５は、全体にわたって組み込まれた集積電
子機器及びコンポーネントを有することができる。例えば、圧力センサー１２８０は、ジ
ャケット１２０５に結合され、開口１２１０内に配置されるか又はジャケット１２０５の
物理的構造に組み込まれ得る。図１３に示されるように、電子モジュール部１２５０は、
ジャケット１２０５から取り外し可能となっていることができる。その結果、いくつかの
実施形態は、それぞれが、異なる大きさ又は形状の薬剤容器を保持するために異なる大き
さ及び長さの開口を有する複数のジャケットを提供する。ジャケットは、取り外すことが
でき、電子モジュール部１２５０を交換することができる。ジャケットは、容器がジャケ
ット１２０５の開口１２１０内に存在することを検出するための機械的、電気的又は電気
機械的センサー（例えば、センサー１２９０）を含むことができる。例えば、いくつかの
実施形態では、光学要素又はスイッチが、ジャケット１２０５内に容器が存在することを
検出するために使用されてもよい。他の実施形態では、容器がジャケット１２０５の開口
１２１０内に存在するかどうかを検出するために翼圧力機構が使用され得る。
【００９４】
投薬装置１２００は、それぞれ、音声を録音し、又は出力する音声入力装置（例えば、
マイクロフォン）又は音声出力装置（例えば、スピーカ）を含むことができる。例えば、
ジャケット１２０５は、薬剤が服用されたかどうか、合併症、又は副作用について患者が
口述するのを記録するように構成されたマイクロフォンを含み得る。いくつかの実施形態
において、ジャケット１２０５、及び／又は電子モジュール部１２５０は、音声認識する
ように構成されたソフトウェア又はハードウェアを含んでいる。例えば、音声認識モジュ
ールは、患者を識別し、患者のフィードバック又は副作用を録音し、フィードバック及び
／又は副作用を第三者（例えば、医師、介護者）等に報告することができる。様々な実施
形態は、投薬装置１２００が患者にメッセージを発することができるスピーカを含んでい
る。メッセージは、予め録音され、投薬装置１２００上にローカルに記憶されるか、又は
（例えば、無線通信モジュールを介して）遠隔記憶装置から送信される。いくつかの実施
形態では、投薬装置１２００は、医師、介護者、家族等によって記録されたリアルタイム
での音声録音を再生する（即ち、ユーザーに出力する）ように構成される。
【００９５】
様々な実施形態では、投薬装置１２００は、１以上の圧力センサー１２８０、触覚セン
サー１２３０、物質／液滴センサー１２４０等によって生成されたデータに基づいて、薬
剤が吐出されたかどうかを決定することができる。投薬装置１２００は、上述した複数の
センサーによって生成されたデータを分析することによって、薬剤が吐出されたかどうか
を決定することもできる。いくつかの実施形態では、これら１以上のセンサーは、例えば
、運動センサー１２６０が投薬装置１２００の動きを感知し、ユーザーが触覚センサー１
２３０と対話し、センサー１２９０が、容器がジャケット１２０５に固定されていると決
定するまでオフ、又はスリープモードの状態となるように構成されていてもよい。
【００９６】
図１４は、様々な実施形態と合致する、ユーザーが携帯型投薬装置１４００を傾斜させ
た状態の側面図である。投薬装置１４００は、開口１４１０内に、物質又は液体を収容す
る容器１４２０を包囲するジャケット１４０５を備える。容器は、例えば、図１４に示す
ような点眼薬を含むボトルであり得る。ジャケット１４０５は、触覚センサー１４３０、
物質／液滴センサー１４４０、電子モジュール部、１以上のジャケット開口部１４７０、
１以上の圧力センサー、又はそれらの組み合わせを含むことができる。ジャケット開口部
１４７０は、ユーザーがジャケット１４０５の開口１４１０内に配置された容器１４２０
に圧力を加えることを許容するように構成されている。ユーザーが容器１４２０に圧力を
加えると、容器の拡張は、開口１４１０内に配置された圧力センサーに圧力を加える。
【００９７】
いくつかの実施形態は、物質が容器１４２０から放出されたかどうかを検出することが
できる物質／液滴センサー１４４０及び／又は触覚センサー１４３０を備える。触覚セン
サー１４３０は、ユーザーによって加えられる圧力を検出するように構成され得る。触覚
センサー１４３０によって検出された圧力は、投薬装置１４００の外側に加えられる。他
の実施形態では、投薬装置１４００は、物質が容器１４２０から放出されたかどうかを検
出することができる１以上の圧力センサー（例えば、圧力センサー１２８０）を備えてい
てもよい。１以上の圧力センサーによって検出される圧力は、ユーザーがジャケット１４
０５の開口部１４７０を介して容器１４２０に圧力を加えることに起因する。
【００９８】
図１５は、ユーザーが携帯型投薬装置１５００から薬剤を吐出している状態の側面図で
ある。一旦容器１５２０がジャケット１５０５の開口１５１０内に配置され、ユーザーが
携帯型投薬装置１５００と対話を開始すると、様々なサブシステムがユーザーの活動を追
跡するために作動され得る。例えば、ユーザーが装置と対話する（例えば接触する、動か
す）とき、様々なセンサー（例えば、液滴センサー、運動センサー、圧力センサー）が作
動され得る。そして、図１５に示すように、ユーザーが携帯型投薬装置１５００を上下逆
さまに傾けると、センサーは、例えば、点眼薬１５３０等の物質が容器１５２０から放出
されたかどうかを決定することができる。例えば、ユーザーが携帯型投薬装置１５００を
上下逆さまに傾け、１以上の開口部１５７０を介して容器１５２０に直接圧力を加えると
、圧力センサー（例えば、圧力センサー１２８０）容器１５２０の拡張を感知することが
できる。圧力センサーによって感知された横方向の拡張は、液滴、錠剤等が容器から吐出
されていることを示してもよい。
【００９９】
いくつかの実施形態では、物質／液滴センサー１６４０は、１以上のジャケット開口部
１６７０を介して容器１６２０に加えられる圧力に起因して、錠剤１６３０等の物質が容
器１６２０から放出されたかどうかを決定するために使用され得る。
【０１００】
図１７Ａ及び図１７Ｂは、様々な実施形態と合致する、第１及び第２の機構のそれぞれ
を介してスマートフォンに接続する第１及び第２の投薬装置の図である。図１７Ａは、全
てが互いに物理的に結合された、スマートフォン１７１５、１以上のジャケット開口部１
７７０を有する投薬装置１７００、及び容器１７２０を示す。容器１７２０は、投薬装置
１７００に挿入され、開口内に保持される。投薬装置１７００は、図１７Ａの実施形態で
はｍｉｃｒｏ−ＵＳＢコネクタである取り付け部品の使用を介してスマートフォン１７１
５に物理的に接続される。様々な実施形態では、図１７Ａ及び図１７Ｂに示すように、取
り付け部品は投薬装置１７００の一部とすることができ、又は取り付け部品は投薬装置１
７００に物理的に接続可能な別個の部品（図示せず）であってもよい。３つの全ての対象
物１７００、１７１５、１７２０は、物理的に互いに結合されているので、それらは全て
一体となって動く。
【０１０１】
図１７Ｂは、全てが互いに物理的に結合されたスマートフォン１７１５、投薬装置１７
００、及び容器１７２０を示している。容器１７２０は、投薬装置１７００に挿入され、
開口内に保持される。投薬装置１７００は、取り付け部品を使用してスマートフォン１７
１５に物理的に接続される。図１７Ｂの実施形態では、取り付け部品は、取り付け部品１
７５５である。３つの全ての対象物１７００、１７１５、及び１７２０は、物理的に互い
に結合されているので、それらは全て一体となって動く。
【０１０２】
様々な実施形態では、取り付け部品１７５５は、ユーザーが１以上のジャケット開口部
１７７０を介して容器１７２０に圧力を加えることを許容するように構成されている。ジ
ャケット開口部１７７０は、物質（例えば、液滴１７３０、錠剤）が容器から吐出される
のを確実にする正確な量の力を加えることを許容する。ユーザーが容器に圧力を加えると
、容器は拡張する。拡張により、ジャケットの開口内に配置された１以上の圧力センサー
に圧力が加えられる。圧力センサーが容器の拡張を検出すると、投薬装置１７００又は別
個の装置（例えば、スマートフォン１７１５、タブレット、ラップトップ）は、ユーザー
の投薬計画の様々な側面に関連する情報（例えば、治療時間、投薬量）を追跡することが
できる。
【０１０３】
開示された技術は、様々な実施形態において利用することができる。例えば、いくつか
の実施形態では、投薬装置は、薬剤の容器を保持するように構成されたジャケットであっ
て、ユーザーが薬剤を吐出させるために前記容器に圧力を加えることを許容する開口部、
及び第１の圧力センサーの作動が、前記容器が前記ジャケットに挿入されたことを示すよ
うに配置された前記第１の圧力センサーを含むジャケットと、前記ジャケットに結合され
、第２の圧力センサーの作動が、ユーザーが前記開口部を介して前記容器に圧力を加える
ことに反応して前記容器が拡張したことを示すように配置された前記第２の圧力センサー
と、前記第２の圧力センサーによって記録されたデータを通信装置と交換するように構成
された無線通信モジュールと、を備える。
【０１０４】
いくつかの実施形態では、投薬装置は、前記容器が前記ジャケット内に挿入されたこと
を前記第１の圧力センサーが検知したことに応答して前記第２の圧力センサーを作動させ
、且つ前記容器が前記ジャケットから取り外されたことを前記第１の圧力センサーが検知
したことに応答して前記第２の圧力センサーを停止させるように構成された監視モジュー
ルをさらに備える。
【０１０５】
いくつかの実施形態では、投薬装置は、前記ジャケット及び前記容器の動きを検出する
１以上の運動センサーを作動させ、及び停止させるように構成された１以上の触覚センサ
ーをさらに備える。いくつかの実施形態では、投薬装置は、前記１以上の運動センサーを
使用して前記容器の動きを監視し、且つ動きを感知すると前記第２の圧力センサーを作動
させるように構成された監視モジュールをさらに備える。いくつかの実施形態では、前記
１以上の触覚センサーは、パルス、心拍数、酸素飽和度、グルコース濃度、又はそれらの
組み合わせを測定する。いくつかの実施形態では、投薬装置は、ユーザーに装着されたも
う一つの別個の装置からの医療情報（例えば、心拍数、グルコース濃度）を取得すること
ができる。
【０１０６】
いくつかの実施形態では、前記容器から出ていく薬剤を感知し、前記容器から吐出され
た薬剤に関するデータを記録するように構成された薬剤検出センサーをさらに備える。い
くつかの実施形態では、前記薬剤検出センサーは、前記容器から吐出された薬剤を検出す
る光学要素を含む。いくつかの実施形態では、前記監視モジュールは、動きを感知すると
前記薬剤検出センサーを作動させるように構成されている。
【０１０７】
いくつかの実施形態では、前記ジャケットは、視覚情報をユーザーに伝達する１以上の
光源をさらに備え、ユーザーに伝達される前記視覚情報は、投薬計画の完了に向けたユー
ザーの進捗、前記容器内に残存している薬剤の量、薬剤を投与させるためのリマインダー
、又はそれらの組み合わせを含む。いくつかの実施形態では、前記１以上の光源は、発光
ダイオードである。いくつかの実施形態では、前記ジャケットは、聴覚情報をユーザーに
伝達する１以上のスピーカを含む。
【０１０８】
いくつかの実施形態では、前記第１の圧力センサーは、翼圧力機構を含む。いくつかの
実施形態では、前記ジャケットは、様々な大きさの容器を保持するために異なる大きさの
開口を有する複数のジャケットのうちの１つである。いくつかの実施形態では、前記投薬
装置は、前記複数のジャケットの何れにも取り付けられ得る取外し可能な電子コンパート
メントを含む。
【０１０９】
いくつかの実施形態では、前記通信装置は、視覚及び聴覚情報をユーザーに伝達するよ
うに構成され、視覚及び聴覚情報は、投薬計画の完了に向けたユーザーの進捗、容器内に
残存している薬剤の量、薬剤を服用させるためのリマインダー、又はそれらの組み合わせ
を含む。
【０１１０】
いくつかの実施形態では、投薬装置は、薬剤の容器を保持するように構成されたジャケ
ットであって、ユーザーが薬剤を吐出させるために前記容器に圧力を加えることを許容す
る開口部、及び第１の圧力センサーの作動が、ユーザーが前記開口部を介して前記容器に
圧力を加えることに反応して前記容器が拡張したことを示すように配置された前記第１の
圧力センサーを含むジャケットと、投薬装置が携帯機器に物理的に接続されることを可能
にするように構成された取り付け部品と、を備え、前記第１の圧力センサーによって生成
され、前記携帯機器によって受信された第１のデータ出力をコンピュータシステムに分析
させ、前記コンピュータシステムは、前記第１のデータ出力に基づいて、薬剤が前記容器
から吐出されたかどうかを決定する。
【０１１１】
いくつかの実施形態では、前記コンピュータシステムは、前記携帯機器の運動センサー
からの第２のデータ出力をさらに分析し、前記第２のデータ出力は、実質的に一体となっ
て動く前記投薬装置、前記容器、及び前記携帯機器の動きを示す。
【０１１２】
いくつかの実施形態では、前記ジャケットに結合され、第２の圧力センサーの作動が、
前記容器が前記ジャケットに挿入されたことを示すように配置された前記第２の圧力セン
サーをさらに備え、前記第２の圧力センサーは、前記容器が前記ジャケット内に挿入され
ているかどうかを示す第３のデータ出力を生成する。
【０１１３】
いくつかの実施形態では、前記第１の圧力センサーは、前記携帯機器の前記運動センサ
ーによって生成された前記第２のデータ出力、又は前記第２の圧力センサーによって生成
された前記第３のデータ出力に基づいて、前記携帯機器によって作動されるように構成さ
れている。
【０１１４】
いくつかの実施形態では、薬剤が前記容器から吐出されたかどうかを示すように構成さ
れた薬剤検出センサーをさらに備える。
【０１１５】
いくつかの実施形態では、前記コンピュータシステムは、薬剤が吐出された時間、吐出
された薬剤の量、前記容器内に残存している薬剤の量、又はそれらの組み合わせを含む情
報を前記投薬装置から受信し、ユーザーに対する投薬計画に関連する情報を含む情報を記
憶装置から読み出し、且つ投薬装置から受信した情報と前記記憶装置から読み出された情
報との比較に基づいて、前記投薬計画に対する遵守の状態を決定するように構成されてい
る。
【０１１６】
いくつかの実施形態では、前記投薬計画に関連する情報は、薬剤が吐出されるべき予定
時刻を含む時間情報と、吐出されるべき予定された薬剤の種類及び予定された薬剤の量を
含む投薬情報とを含む。いくつかの実施形態では、前記コンピュータシステムは、ユーザ
ーの前記投薬計画に対する遵守の状態を示すメッセージをユーザー又は医師に送信するよ
うに構成されている。
いくつかの実施形態では、投薬計画に対する遵守を監視する方法は、圧力センサーを含
む投薬装置を提供する工程であって、前記投薬装置は、薬剤の容器を固定するための内部
空洞、及びユーザーが前記内部空洞内に固定された前記容器に圧力を加えることを許容す
る開口部を含むジャケットを含み、圧力センサーは、ユーザーが前記開口部を介して前記
容器に圧力を加えることに反応して容器の横方向の拡張を感知するように構成され、且つ
前記圧力センサーは、薬剤が前記容器から吐出されたかどうかを示すデータを生成する、
工程と、前記データを記憶装置に記録する工程と、投薬計画に対する遵守を追跡するよう
に構成された医学的遵守システムに前記データを伝達する工程と、を含む。
【０１１７】
いくつかの実施形態では、方法は、前記投薬管理装置上に配置された１以上のインタフ
ェースを介して前記ユーザーからの触覚入力を受信する工程と、前記触覚入力を受信する
と前記圧力センサーを作動させる工程と、をさらに含む。いくつかの実施形態では、方法
は、前記容器が前記ジャケットの前記内部空洞内に挿入されたかどうかを決定する工程を
さらに含む。
【０１１８】
いくつかの実施形態では、方法は、前記薬剤を吐出させるためのリマインダーをユーザ
ーに提供する工程をさらに含む。いくつかの実施形態では、方法は、前記リマインダーは
、視覚的又は聴覚的リマインダーを含む。
【０１１９】
物理的可能性に反しない限り、（ｉ）上記の方法／ステップは、任意の順序及び／又は
任意の組み合わせで実施することができ、（ｉｉ）各実施形態の構成要素は、如何なる方
法によっても組み合わされ得る。
【０１２０】
上記に紹介された技術は、ソフトウェア及び／又はファームウェアによってプログラム
又は構成されたプログラム可能な回路によって、又は完全特殊用途の回路によって、又は
そのような形態の任意の組み合わせによって実施することができる。そのような特殊用途
の回路（存在する場合）は、例えば、１以上の特定用途向け集積回路（ＡＳＩＣ）、プロ
グラマブルロジックデバイス（ＰＬＤ）、フィールドプログラマブルゲートアレイ（ＦＰ
ＧＡ）等の形態であり得る。
【０１２１】
ここで紹介された技術を実行するソフトウェア又はファームウェアは、機械可読記憶媒
体に記憶されてもよく、１以上の汎用又は専用のプログラマブルマイクロプロセッサによ
って実行されてもよい。本明細書で使用される「機械可読媒体」は、機械によってアクセ
ス可能な形式で情報を記憶することができる任意の機構を含む（機械は、例えば、コンピ
ュータ、ネットワーク装置、携帯電話、携帯情報端末（ＰＤＡ）、製造ツール、１以上の
プロセッサを備えた任意の装置等である）。例えば、機械アクセス可能媒体は、記録可能
／記録不可能媒体（例えば、読み出し専用メモリ（ＲＯＭ）、ランダムアクセスメモリ（
ＲＡＭ）、磁気ディスク記憶媒体、光学記憶媒体、フラッシュメモリ装置等）等を含む。
【０１２２】
上記で説明された実施形態の何れか及び全ては、上記で他に述べられている範囲、又は
実施形態が、機能及び／又は構造において互いに排他的である範囲を除いて、互いに組み
合わせることができることに留意されたい。
【０１２３】
本発明は、特定の例示的な実施形態を参照して説明されたが、本発明は、記載された実
施形態に限定されず、添付の特許請求の範囲の思想及び範囲内の改変及び変更を伴って実
施され得る。したがって、明細書及び図面は、限定的な意味ではなく例示的な意味である
とみなされるべきである。
【図１】
2019213886.tif 000003
【図２】
2019213886.tif 000004
【図３】
2019213886.tif 000005
【図４】
2019213886.tif 000006
【図５】
2019213886.tif 000007
【図６Ａ】
2019213886.tif 000008
【図６Ｂ】
2019213886.tif 000009
【図７】
2019213886.tif 000010
【図８Ａ】
2019213886.tif 000011
【図８Ｂ】
2019213886.tif 000012
【図９】
2019213886.tif 000013
【図１０Ａ】
2019213886.tif 000014
【図１０Ｂ】
2019213886.tif 000015
【図１０Ｃ】
2019213886.tif 000016
【図１０Ｄ】
2019213886.tif 000017
【図１０Ｅ】
2019213886.tif 000018
【図１０Ｆ】
2019213886.tif 000019
【図１０Ｇ】
2019213886.tif 000020
【図１１】
2019213886.tif 000021
【図１２Ａ】
2019213886.tif 000022
【図１２Ｂ】
2019213886.tif 000023
【図１３】
2019213886.tif 000024
【図１４】
2019213886.tif 000025
【図１５】
2019213886.tif 000026
【図１６】
2019213886.tif 000027
【図１７Ａ】
2019213886.tif 000028
【図１７Ｂ】
2019213886.tif 000029
【外国語明細書】
2019213886.tif 000030
2019213886.tif 000031
2019213886.tif 000032
2019213886.tif 000033
2019213886.tif 000034
2019213886.tif 000035
2019213886.tif 000036
2019213886.tif 000037
2019213886.tif 000038
2019213886.tif 000039
2019213886.tif 000040
2019213886.tif 000041
2019213886.tif 000042
2019213886.tif 000043
2019213886.tif 000044
2019213886.tif 000045
2019213886.tif 000046
2019213886.tif 000047
2019213886.tif 000048
2019213886.tif 000049
2019213886.tif 000050
2019213886.tif 000051
2019213886.tif 000052
2019213886.tif 000053
2019213886.tif 000054
2019213886.tif 000055
2019213886.tif 000056
2019213886.tif 000057
2019213886.tif 000058
2019213886.tif 000059
2019213886.tif 000060
2019213886.tif 000061
2019213886.tif 000062
2019213886.tif 000063
2019213886.tif 000064
2019213886.tif 000065
2019213886.tif 000066
2019213886.tif 000067
2019213886.tif 000068
2019213886.tif 000069
【Ｆｉｇ１】
2019213886.tif 000070
【Ｆｉｇ２】
2019213886.tif 000071
【Ｆｉｇ３】
2019213886.tif 000072
【Ｆｉｇ４】
2019213886.tif 000073
【Ｆｉｇ５】
2019213886.tif 000074
【Ｆｉｇ６Ａ】
2019213886.tif 000075
【Ｆｉｇ６Ｂ】
2019213886.tif 000076
【Ｆｉｇ７】
2019213886.tif 000077
【Ｆｉｇ８Ａ】
2019213886.tif 000078
【Ｆｉｇ８Ｂ】
2019213886.tif 000079
【Ｆｉｇ９】
2019213886.tif 000080
【Ｆｉｇ１０Ａ】
2019213886.tif 000081
【Ｆｉｇ１０Ｂ】
2019213886.tif 000082
【Ｆｉｇ１０Ｃ】
2019213886.tif 000083
【Ｆｉｇ１０Ｄ】
2019213886.tif 000084
【Ｆｉｇ１０Ｅ】
2019213886.tif 000085
【Ｆｉｇ１０Ｆ】
2019213886.tif 000086
【Ｆｉｇ１０Ｇ】
2019213886.tif 000087
【Ｆｉｇ１１】
2019213886.tif 000088
【Ｆｉｇ１２Ａ】
2019213886.tif 000089
【Ｆｉｇ１２Ｂ】
2019213886.tif 000090
【Ｆｉｇ１３】
2019213886.tif 000091
【Ｆｉｇ１４】
2019213886.tif 000092
【Ｆｉｇ１５】
2019213886.tif 000093
【Ｆｉｇ１６】
2019213886.tif 000094
【Ｆｉｇ１７Ａ】
2019213886.tif 000095
【Ｆｉｇ１７Ｂ】
2019213886.tif 000096